(57)【要約】      （修正有）【課題】就寝中の口呼吸を防止して、いびきの発生を防止するためのいびき防止用ベルトを提供する。【解決手段】使用者の顎の下部に当接し、顎を持ち上げて口を閉じるための長手の帯状体１１１を含む顎ベルト１１と、顎ベルト１１とは別体に形成され、使用者の下唇の下縁に沿って当接し、下唇が下がって口が開くのを阻止するための長手の帯状体１２１を含む下唇ベルト１２と、顎ベルト１１の長手方向の一端１１２及び下唇ベルト１２の長手方向の一端１２５に一方端部が接続され、顎ベルト１１の長手方向の他端１１３及び下唇ベルト１２の長手方向の他端１２６に他方端部が接続されていて、一方端部から他方端部へと伸びる本体部を有し、本体部は、使用者の頭頂部辺りに沿って配置され、顎ベルト１１及び下唇ベルト１２の両端に張力を付与するための頭部装着部１３と、を含む。【選択図】図１
0003221506.tif 000002
【実用新案登録請求の範囲】
【請求項１】
使用者の顎の下部に当接し、顎を持ち上げて口を閉じるための長手の帯状体を含む顎ベルトと、
前記顎ベルトとは別体に形成され、使用者の下唇の下縁に沿って当接し、下唇が下がって口が開くのを阻止するための長手の帯状体を含む下唇ベルトと、
前記顎ベルトの長手方向の一端及び前記下唇ベルトの長手方向の一端に一方端部が接続され、前記顎ベルトの長手方向の他端及び前記下唇ベルトの長手方向の他端に他方端部が接続されていて、前記一方端部から前記他方端部へと伸びる本体部を有し、当該本体部は、使用者の頭頂部辺りに沿って配置され、前記顎ベルト及び下唇ベルトの両端に張力を付与するための頭部装着部と、
を含むことを特徴とする、いびき防止用ベルト。
【請求項２】
前記顎ベルトの一端及び前記下唇ベルトの一端は、弾力性のある一方帯状体で接続されており、
前記顎ベルトの他端及び前記下唇ベルトの他端も、弾力性のある他方帯状体で接続されており、
前記頭部装着部の一方端部及び他方端部は、それぞれ、前記一方帯状体及び他方帯状体に連結されていることを特徴とする、請求項１に記載のいびき防止用ベルト。
【請求項３】
使用者の下唇の下縁に沿って当接する前記下唇ベルトの長手の帯状体の上辺は、下唇の下縁に沿った曲線形状とされていることを特徴とする、請求項１又は２に記載のいびき防止用ベルト。
【請求項４】
前記顎ベルトの帯状体及び前記下唇ベルトの帯状体は、裏面が起毛されたポリウレタンで構成されていることを特徴とする、請求項１〜３のいずれか一項に記載のいびき防止用ベルト。
【考案の詳細な説明】
【技術分野】
【０００１】
本考案は、いびき防止対策のための簡易な器具に関する。
【背景技術】
【０００２】
いびき防止具に関しては、従来より、種々の提案がなされている。
特許文献１には、「口、首周りの筋力補強バンド」が開示されている。
特許文献２には、就寝時の下顎下降を抑止するための「いびき防止具」が開示されている。
特許文献３には、使用者の首の一部分を拡張するようにした新規の「いびき防止装置」が提案されている。
さらに、特許文献４、５、６には、口内に装着して使用するいびき防止装具が提案されている。
【先行技術文献】
【特許文献】
【０００３】
【特許文献１】特開２００４−８９６６２号公報
【特許文献２】登録実用新案第３１０６８７６号公報
【特許文献３】特開２００８−３０２２２３号公報
【特許文献４】特開２００６−２０９８６号公報
【特許文献５】特表２０１１−５１９５９８号公報
【特許文献６】登録実用新案第３１９４１７８号公報
【考案の概要】
【考案が解決しようとする課題】
【０００４】
上記従来のいびき防止器具は、それなりの効果は得られるものの、装着がわずらわしいとか装着が面倒であるとか、使い難いといった課題があった。
ところで、いびきが生じる原因は就寝中に口が開き、口呼吸になるからだと言われている。口呼吸では、舌が下がり、「舌根」が喉に落ち込んで気道を狭めるので、気道と舌根が触れ合ってノイズ（いびき）が生じるのである。一方、口が閉じられた状態では、鼻からの気道が確保され、鼻呼吸であればいびきは生じない。
本考案は、係る背景の基になされたものであり、就寝中の口呼吸を防止して、いびきの発生を防止するためのいびき防止用ベルトを提供することを目的とする。
【課題を解決するための手段】
【０００５】
本考案は、上記目的を達成するためのものであり、請求項１に係る考案は、使用者の顎の下部に当接し、顎を持ち上げて口を閉じるための長手の帯状体を含む顎ベルトと、前記顎ベルトとは別体に形成され、使用者の下唇の下縁に沿って当接し、下唇が下がって口が開くのを阻止するための長手の帯状体を含む下唇ベルトと、前記顎ベルトの長手方向の一端及び前記下唇ベルトの長手方向の一端に一方端部が接続され、前記顎ベルトの長手方向の他端及び前記下唇ベルトの長手方向の他端に他方端部が接続されていて、前記一方端部から前記他方端部へと伸びる本体部を有し、当該本体部は、使用者の頭頂部辺りに沿って配置され、前記顎ベルト及び下唇ベルトの両端に張力を付与するための頭部装着部と、を含むことを特徴とする、いびき防止用ベルトである。
【０００６】
請求項２に係る考案は、前記顎ベルトの一端及び前記下唇ベルトの一端は、弾力性のある一方帯状体で接続されており、前記顎ベルトの他端及び前記下唇ベルトの他端も、弾力性のある他方帯状体で接続されており、前記頭部装着部の一方端部及び他方端部は、それぞれ、前記一方帯状体及び他方帯状体に連結されていることを特徴とする、請求項１に記載のいびき防止用ベルトである。
【０００７】
請求項３に係る考案は、使用者の下唇の下縁に沿って当接する前記下唇ベルトの長手の帯状体の上辺は、下唇の下縁に沿った曲線形状とされていることを特徴とする、請求項１又は２に記載のいびき防止用ベルトである。
請求項４に係る考案は、前記顎ベルトの帯状体及び前記下唇ベルトの帯状体は、裏面が起毛されたポリウレタンで構成されていることを特徴とする、請求項１〜３のいずれか一項に記載のいびき防止用ベルトである。
【考案の効果】
【０００８】
本考案によれば、容易に装着でき、いびき予防、いびき防止を実現することができる。また、無呼吸対策にもなるいびき防止用ベルトを提供できる。
【図面の簡単な説明】
【０００９】
【図１】図１は、本考案の一実施形態に係るいびき防止用ベルト１０の全体構成を示す斜視図である。
【図２】図２は、いびき防止用ベルト１０を人形モデルに装着した状態を正面側から見た図である。
【図３】図３は、いびき防止用ベルト１０を人形モデルに装着した状態を右側面側から見た図である。
【図４】図４は、本考案の他の実施形態に係るいびき防止用ベルト３０の構成を示す図であり、人形モデルに装着した状態を右側面側から見た図である。
【考案を実施するための形態】
【００１０】
以下では、図面を参照して、本考案の実施形態について具体的に説明をする。
図１は、本考案の一実施形態に係るいびき防止用ベルト１０の全体構成を示す斜視図である。図２は、いびき防止用ベルト１０を人形モデルに装着した状態を正面側から見た図であり、図３は、いびき防止用ベルト１０を人形モデルに装着した状態を右側面側から見た図である。
【００１１】
図１〜３を参照して、いびき防止用ベルト１０について説明をする。
いびき防止用ベルト１０は、顎ベルト１１、下唇ベルト１２及び頭部装着部１３の３つの部材を含んでいる。
顎ベルト１１は、使用者の顎の下部に当接し、顎を持ち上げて使用者の口を閉じる機能を奏するものである。そのために、顎ベルト１１は、長手の帯状体１１１を含んでいる。帯状体１１１は、一例として、少なくとも肌に接する面が、表面に極小の起毛が形成されるか、柔軟な細かい凹凸加工がされ、肌当りが柔らかいポリウレタンで構成されていてもよい。または、帯状体１１１は、綿、ポリエステル、ナイロン、アクリル等の素材によって形成されたものでもよい。
【００１２】
下唇ベルト１２は、使用者の下唇の下縁に沿って当接し、下唇が下がって口が開く（口を通しての呼吸ができる）のを阻止するという機能を奏するものである。そのために、下唇ベルト１２は、長手の帯状体１２１を含んでいる。帯状体１２１の上辺１２２は、使用者の下唇の下縁に沿う形状に曲成されている。一例として、上辺１２２には、長さ方向中央部が下方に向かって穏やかに凹湾曲した下唇受部１２３が形成され、長さ方向に見て、下唇受部１２３の両側には、上方に向かって穏やかな山形に盛り上がる口元受部１２４が形成されていてもよい。
【００１３】
下唇ベルト１２も、一例として、少なくとも肌に接する面が、表面に極小の起毛が形成されるか、柔軟な細かい凹凸加工がされ、肌当りが柔らかいポリウレタンで構成されていてもよい。また、帯状体１２１は、綿、ポリエステル、ナイロン、アクリル等の素材によって形成されたものでもよい。
顎ベルト１１の一端、すなわち帯状体１１１の一端１１２と、下唇ベルト１２の一端、すなわち帯状体１２１の一端１２５とは、弾力性のある一方帯状体１４で接続されている。一方帯状体１４は、一例として、布製ゴム帯１４で形成してもよい。そして、布製ゴム帯１４の一端と帯状体１１１の一端１１２とが接合されており、布製ゴム帯１４の他端と帯状体１２１の一端１２５とが接合されている。接合は、一例として、布製ゴム帯１４の端部を帯状体１２１の端部で挟み込んで接着または溶着により接続するという形態を採用できる。あるいは、縫合により接続してもよい。
【００１４】
同様に、顎ベルト１１の他端、すなわち帯状体１１１の他端１１３と、下唇ベルト１２の他端、すなわち帯状体１２１の他端１２６とは、弾力性のある他方帯状体１５により、接続されている。
頭部装着部１３は、一方帯状体１４に一端が連結された一側バンド２１と、他方帯状体１５に一端が連結された他側バンド２２と、一側バンド２１の他端及び他側バンド２２の他端に連結された頭頂バンド２３とを含んでいる。
【００１５】
顎ベルト１１及び下唇ベルト１２の一端同士を接続する一方帯状体１４と一側バンド２１との連結には、小円環リング２４が用いられている。小円環リング２４は、例えば樹脂製のリングで、このリング２４に一方帯状体１４が通されている。また、小円環リング２４には、一側バンド２１の一端側が通されている。そして、一側バンド２１には、その長さを調整するための長さ調整具２５が備えられている。
【００１６】
顎ベルト１１及び下唇ベルト１２の他端同士を接続する他方帯状体１５と他側バンド２２との連結も、上記と同様に、小円環リング２４によって達成されている。
一側バンド２１の他端及び他側バンド２２の他端と頭頂バンド２３との連結にも、それぞれ、小円環リング２４が用いられている。この実施形態では、頭頂バンド２３は、前方側頭頂バンド２３１と後方側頭頂バンド２３２とを有し、２本の頭頂バンド２３１及び２３２で頭頂部の前後に確実に装着できる構成とされている。
【００１７】
なお、この実施形態の構成に代えて、頭部装着部１３は、次のような構成であってもよい。
図４は、本考案の他の実施形態に係るいびき防止用ベルト３０の構成を示す図であり、人形モデルに装着した状態を右側面側から見た図である。
図４を参照して、いびき防止用ベルト３０の頭部装着部３１は、メッシュキャップ（またはネットキャップ）３２と、メッシュキャップ３２の左右側部から下方へ伸び出た連結部３３とを含む構成であってもよい。
【００１８】
なお、連結部３３と顎ベルト１１及び下唇ベルト１２との連結は、前記実施形態と同様に小円環リング２４が用いられた例を示しているが、顎ベルト１１及び下唇ベルト１２の各端部がメッシュキャップ３２の連結部３３に直接接続された構成であってもよい。
本考案に係るいびき防止用ベルト１０、３０によれば、いびき防止用ベルト１０、３０を装着した状態において、顎ベルト１１は、その両端部が頭部装着部１３、３１によって引き上げるように張力が与えられている。よって、いびき防止用ベルト１０、３０を装着した使用者は、就寝中に不用意に顎を下げて口を開くことがない。また、顎ベルト１１とは別体に設けられた下唇ベルト１２にも、その両端部が頭部装着部１３、３１によって引き上げるように張力が与えられている。よって、いびき防止用ベルト１０、３０を装着した使用者は、就寝中に不用意に下唇が下がり唇が開いて口呼吸をすることがない。
【００１９】
つまり、使用者は、就寝中に口が開かず、口呼吸をせず、鼻呼吸を行うので、口呼吸に起因して生じるいびきの発生を効果的に防止することができる。
この考案は、以上説明した実施形態に限定されるものではなく、実用新案登録請求の範囲に記載した構成の範囲内において、種々の変更が可能である。
【符号の説明】
【００２０】
１０、３０    いびき防止用ベルト
１１    顎ベルト
１２    下唇ベルト
１３、３１    頭部装着部
１４    一方帯状体（布製ゴム帯）
１５    他方帯状体
２１    一側バンド
２２    他側バンド
２３    頭頂バンド
２４    小円環リング
２５    長さ調整具
３２    メッシュキャップ
３３    連結部
１１１、１２１    帯状体
１１２、１２５    一端
１１３、１２６    他端
１２２    上辺
１２３    下唇受部
１２４    口元受部
２３１    前方側頭頂バンド
２３２    後方側頭頂バンド
【図１】
0003221506.tif 000003
【図２】
0003221506.tif 000004
【図３】
0003221506.tif 000005
【図４】
0003221506.tif 000006